(57)【特許請求の範囲】
【請求項１】
コンベヤチェーンの搬送方向に沿って配置され、該コンベヤチェーンの左右両端部を支持する左右一対のフレーム材と、該左右のフレーム材をフレーム材の内側で連結する連結クランプとを備えたコンベヤ用走行フレーム装置において、
フレーム材は、各フレーム材の内側に突出し、連結クランプが把持する連結突起が設けられ、該連結突起から屈曲形成され鉛直上方を向いてコンベヤチェーンの両端部を支持する支持片が設けられ、該支持片の上端部に嵌合する走行レールを設けると共に、該走行レールの上にコンベヤチェーンの上面から左右に張り出したトッププレートを着脱自在に載せてコンベヤチェーンが走行するように構成し、
連結クランプは、連結突起を把持する把持部を左右両端部に設けた一対の連結板の板面を垂直にした状態で連結ボルトが水平に貫通して連結するように構成され、コンベヤチェーンから流れ落ちる流体物が該連結板の間から下に流れ落ちるように構成したしたことを特徴とするコンベヤ用走行フレーム装置。
【請求項２】
前記連結クランプは、前記連結突起に外嵌して該連結突起を把持する形状の前記把持部を左右両端部に設けた一対の連結板と、これら連結板の板面間に配置される固定管と、連結板の一方から固定管内を貫通し他方の連結板の板面から突出する連結ボルトと、該連結ボルトの端部にネジ止めせしめる固定ナット及び連結板の間に介されて左右のフレーム材を押圧する固定バネ板とで構成された請求項１記載のコンベヤ用走行フレーム装置。
【請求項３】
前記フレーム材は、前記連結突起から下方に屈曲延長され、且つフレーム材の内側に向けてＬ型に屈曲された係止突片を形成し、該係止突片で、前記コンベヤチェーンの下面から左右に張り出したタブを係止するように構成し、前記連結突起から前記支持片に至る屈曲部、及び係止突片の屈曲部に、液体を排出せしめる水抜き孔を適宜穿設した請求項１記載のコンベヤ用走行フレーム装置。
【請求項４】
前記コンベヤチェーン及び前記走行レールは合成樹脂材にて形成された請求項１記載のコンベヤ用走行フレーム装置。
【発明の詳細な説明】
【技術分野】
【０００１】
本発明は、例えば、洗浄等のメンテナンスが容易になり、清潔な状態を保つことができ、特に食品等を搬送するのに好適なコンベヤ用走行フレーム装置に関するものである。
【背景技術】
【０００２】
従来、コンベヤ用走行フレーム装置に使用されるフレーム材等にあっては、鉄材やステンレススチール材、あるいはアルミ材などが利用されていた。ところが、鉄材やステンレススチール材では、適切な加工精度、剛性を得るためには厚い板材を使う必要があったので、コスト削減や軽量化に限界が生じていた。
【０００３】
一方、アルミ製のフレーム材にあっては、搬送環境に於いて、湿気や水が存在すると酸化アルミニウム化合物質が発生する虞がある。この酸化アルミニウム化合物質は有害であり、食品加工分野だけでなく、他の産業分野で働く環境においても衛生面上好ましくない。
【０００４】
そこで、当出願人は、このような課題を解消し、比較的薄いフレーム材でも、強度、剛性が高く、軽量で、高い加工精度のフレーム材の提供が可能になるコンベヤ用走行フレーム装置を先に提案している（特許文献１）。
【０００５】
このコンベヤ用走行フレーム装置によると、搬送コンベヤに使用される走行フレーム装置や、ガイドレール、あるいは、受けレール等として最適なフレーム材が提供されるものである。
【先行技術文献】
【特許文献】
【０００６】
【特許文献１】特許第３４９８１７９号公報
【発明の概要】
【発明が解決しようとする課題】
【０００７】
ところが、特許文献１のコンベヤ用走行フレーム装置によると、フレーム材の内側に屈曲形成された走行レールに、コンベヤチェーンの側面を嵌合させて装着しているので、このコンベヤチェーンを装着した後、このコンベヤが汚れた場合には、コンベヤ終端でコンベヤチェーンを切り離し、コンベヤからコンベヤチェーンを取り出す必要があった。このため、コンベヤチェーンを洗浄する作業が極めて困難になる課題があった。
【０００８】
例えば、牛乳などの食品を搬送する場合、牛乳がこぼれてコンベヤチェーンやフレーム材などを汚してしまうことが想定される。このような場合、コンベヤチェーンの表面の汚れを拭き取ることは可能でも、コンベヤチェーンの裏面及びフレーム内側に付着した汚れを拭き取ることは極めて困難な作業になっている。
【０００９】
しかも、ベルトの下方には、フレーム材を連結するクランプなどの部材があり、コンベヤチェーンから流れ落ちた牛乳などでクランプが汚れてしまうと、もはやフレーム材を分解して掃除する以外に手段はないのが現状である。
【００１０】
そこで本発明は、上述の課題を解消すべく創出されたもので、洗浄等のメンテナンスが容易になり、清潔な状態を保つことができ、特に食品等を搬送するのに好適なコンベヤ用走行フレーム装置の提供を目的とするものである。
【課題を解決するための手段】
【００１１】
上述の目的を達成すべく本発明における第１の手段は、コンベヤチェーン３０の搬送方向に沿って配置され、該コンベヤチェーン３０の左右両端部を支持する左右一対のフレーム材１０と、該左右のフレーム材１０をフレーム材１０の内側で連結する連結クランプ２０とを備えたコンベヤ用走行フレーム装置において、
フレーム材１０は、各フレーム材１０の内側に突出し、連結クランプ２０が把持する連結突起１１が設けられ、該連結突起１１から屈曲形成され鉛直上方を向いてコンベヤチェーン３０の両端部を支持する支持片１２が設けられ、
該支持片１２の上端部に嵌合する走行レール４０を設けると共に、該走行レール４０の上にコンベヤチェーン３０の上面から左右に張り出したトッププレート３１を着脱自在に載せてコンベヤチェーン３０が走行するように構成し、
連結クランプ２０は、連結突起１１を把持する把持部２１Ａを左右両端部に設けた一対の連結板２１の板面を垂直にした状態で連結ボルト２２が水平に貫通して連結するように構成され、コンベヤチェーン３０から流れ落ちる流体物が該連結板２１の間から下に流れ落ちるように構成したしたことにある。
【００１２】
第２の手段において、前記連結クランプ２０は、前記連結突起１１に外嵌して該連結突起を把持する形状の把持部２１Ａを左右両端部に設けた一対の連結板２１と、
これら連結板２１の板面間に配置される固定管２３と、
連結板２１の一方から固定管２３内を貫通し他方の連結板２１の板面から突出する連結ボルト２２と、該連結ボルト２２の端部にネジ止めせしめる固定ナット２４と連結板２１との間に介されて左右のフレーム材１０を押圧する固定バネ板２５とで構成されたものである。
【００１３】
第３の手段において、前記フレーム材１０は、前記連結突起１１から下方に屈曲延長され、且つフレーム材１０の内側に向けてＬ型に屈曲された係止突片１４を形成し、該係止突片１４で、前記コンベヤチェーン３０の下面から左右に張り出したタブ３２を係止するように構成し、前記連結突起１１から前記支持片１２に至る屈曲部、及び係止突片１４の屈曲部に、液体を排出せしめる水抜き孔１５を適宜穿設したことにある。
【００１４】
第４の手段は、前記コンベヤチェーン３０及び前記走行レール４０を合成樹脂材にて形成したことにある。
【発明の効果】
【００１５】
本発明の請求項１によると、コンベヤチェーン３０がフレーム材１０の支持片１２に着脱自在に載置するように構成しているから、コンベヤチェーン３０が汚れても、フレーム材１０から外してコンベヤチェーン３０の裏面の汚れまで拭き取ることができる。したがって、洗浄等のメンテナンスが容易になる。しかも、コンベヤチェーン３０から流れ落ちる流体物は、連結クランプ２０の連結板２１の間から下に流れ落ちるように構成しているので、清潔な状態を保つことができる。この結果、特に食品等を搬送するのに好適なコンベヤ用走行フレーム装置を提供することができる。
【００１６】
請求項２のように、連結クランプ２０は、連結突起１１に外嵌して把持する把持部２１Ａを設けた連結板２１と、２枚の連結板２１の間に配置される固定管２３と、これら２枚の連結板２１の一方から固定管２３内を貫通し他方の連結板２１の側面から突出する連結ボルト２２と、該連結ボルト２２の端部にネジ止めする固定ナット２４と連結板２１との間に介されて左右のフレーム材１０を押圧せしめる固定バネ板２５とで構成されているので、簡単な構成で左右のフレーム材１０を確実に連結することができる。
【００１７】
また、２枚の連結板２１の間に固定管２３を配置して、この内部に連結ボルト２２を挿通するように構成しているので、コンベヤチェーン３０から流れ落ちる流体物が２枚の連結板２１の間から下に流れるときに、連結ボルト２２のネジ山に残留する虞を解消する。しかも、洗浄の際も簡単に汚れを落とすことができるので、清潔な使用を可能にしている。
【００１８】
さらに、連結ボルト２２の端部にネジ止めする固定ナット２４と連結板２１との間に介されて左右のフレーム材１０を押圧せしめる固定バネ板２５を備えているので、左右のフレーム材１０を強固に連結することが可能になり、走行時の振動にも耐え得る高い強度の連結力を発揮するものである。
【００１９】
請求項３のごとく、フレーム材１０に係止突片１４を形成し、該係止突片１４で、前記コンベヤチェーン３０のタブ３２を係止するように構成しているので、フレーム材１０の上部から下部に移動して天地が逆になったコンベヤチェーン３０を係止突片１４が支持することができる。
【００２０】
そして、連結突起１１から支持片１２に至る屈曲部や係止突片１４の屈曲部に、液体を排出せしめる水抜き孔１５を適宜穿設しているので、フレーム材１０の各屈曲部分に流れた流体物は、この水抜き孔１５から排出されるので、フレーム材１０を清潔な状態に保つことができる。
【００２１】
請求項４のごとく、コンベヤチェーン３０及び前記走行レール４０を合成樹脂材にて形成したことにより、特に、拭き取りや洗浄等のメンテナンスが容易になり、食品を搬送するのに好適なコンベヤ用走行フレーム装置を提供することができる。
【図面の簡単な説明】
【００２２】
【図１】本発明の一実施例を示す使用状態の正断面図である。
【図２】本発明のコンベヤチェーンを外した状態を示す正断面図である。
【図３】本発明の連結クランプの一実施例を示す使用状態の斜視図である。
【図４】本発明の連結クランプの一実施例を示す使用状態の平面図である。
【図５】本発明のコンベヤチェーンを外した状態を示す斜視図である。
【発明を実施するための形態】
【００２３】
本発明によると、洗浄等のメンテナンスが容易になり、清潔な状態を保つことができ、特に食品等を搬送するのに好適になるなどといった当初の目的を達成した。
【実施例】
【００２４】
以下、本発明の実施例を説明する。本発明の基本構成は、コンベヤチェーン３０を支持するフレーム材１０と、このフレーム材１０相互を連結する連結クランプ２０とで構成されている（図１参照）。
【００２５】
フレーム材１０は、コンベヤチェーン３０の左右両端部を支持する左右一対の部材で、コンベヤチェーン３０の搬送方向に沿って配置される。このフレーム材１０には、各フレーム材１０の内側に突出し、連結クランプ２０が把持する連結突起１１が設けられている。図示例の連結突起１１は、断面略Ｃ字形状を成し、連結クランプ２０に近いほど縦幅が広く、連結クランプ２０から遠ざかるほど縦幅が狭くなっている（図１参照）。
【００２６】
さらに、連結突起１１から屈曲形成され鉛直上方を向いた支持片１２を設けている。この支持片１２は、コンベヤチェーン３０の両端部を支持するものである。したがって、コンベヤチェーン３０を簡単に持ち上げることができる（図２参照）。一方、連結突起１１から下方には、フレーム材１０の内側に向けてＬ型に屈曲された係止突片１４を屈曲延長している。そして、この係止突片１４で、コンベヤチェーン３０の下面から左右に張り出したタブ３２を係止する。このタブ３２は、コンベヤチェーン３０が反転して転地が逆になったときに係止突片１４に係止されるものである。
【００２７】
フレーム材１０の各屈曲部には、水抜き孔１５を開穿している。すなわち、連結突起１１から支持片１２に至る屈曲部や、係止突片１４の屈曲部に開穿している（図１参照）。水抜き孔１５は、これらの屈曲部から液体を排出せしめるようにしている。図示例では、連結突起１１から係止突片１４に至る屈曲部にも水抜き孔１５を開穿してある。
【００２８】
また、支持片１２の上端部に嵌合する合成樹脂製の走行レール４０を設けてあり、この走行レール４０の上にコンベヤチェーン３０の左右両端部を着脱自在に載せた状態でコンベヤチェーン３０が走行するものである（図１参照）。図示例では、フレーム材１０の支持片１２に、上端部を外側下向きに折り返して肉厚に形成した折り返し片１３が設けられ、該折り返し片１３に走行レール４０を嵌合している。
【００２９】
一方、連結クランプ２０は、該左右のフレーム材１０をフレーム材１０の内側で連結する部材である。この連結クランプ２０は、連結突起１１を把持するように設けた一対の連結板２１の板面を垂直にした状態で連結するもので、連結ボルト２２がこれらの板面を水平に貫通して連結するように構成している（図３参照）。この結果、コンベヤチェーン３０から流れ落ちる流体物は、該連結板２１の間から下に流れ落ちることになる。
【００３０】
この連結クランプ２０は、さらに、連結板２１、連結ボルト２２、固定管２３、固定ナット２４、固定バネ板２５にて構成されている（図４参照）。
【００３１】
連結板２１は、連結突起１１に外嵌して該連結突起を把持する形状の把持部２１Ａを左右両端部に設けた板状の部材である。図示の把持部２１Ａは、連結突起１１に外嵌する略Ｃ字形状を成している（図１参照）。
【００３２】
固定管２３は、２枚の連結板２１の間に配置されるもので、連結板２１相互の間隔を一定にすると共に、この連結板２１の板面中央部を貫通する連結ボルト２２を被覆するものである（図４参照）。この固定管２３によって連結板２１相互の間隔を維持すると共に、連結ボルト２２のネジ山が露出するのを防止している。
【００３３】
固定ナット２４と固定バネ板２５は、連結ボルト２２の端部に装着する部材である。この連結ボルト２２は、２枚の連結板２１の一方から固定管２３内を貫通し、他方の連結板２１の側面から突出するもので、この連結ボルト２２の突出した端部に装着される（図３参照）。この固定バネ板２５は、平面Ｗ字上に屈曲された弾性板状を成し、固定ナット２４と連結板２１との間に装着されている。そして、この固定バネ板２５を連結板２１と連結ボルト２２に装着した固定ナット２４にて圧着すると、固定バネ板２５の両端部が広がって、左右のフレーム材１０を押圧するものである。
【００３４】
コンベヤチェーン３０は、フレーム材１０に支持される部材であり、使用目的より材質やサイズ等を任意に変更できるものである。図示例のコンベヤチェーン３０は、軽量で汚れ難くするために、合成樹脂材で形成している。このとき、コンベヤチェーン３０の上面から左右に大きく張り出したトッププレート３１と、コンベヤチェーン３０の下面から左右に小さく張り出したタブ３２とを有している（図２参照）。そして、トッププレート３１は、走行レール４０の上に載置され、タブ３２は、フレーム材１０の内側に向けてＬ型に屈曲された係止突片１４に係止されるものである。
【００３５】
本発明のメンテナンス時には、コンベヤチェーン３０を走行レール４０から持ち上げるだけで、フレーム材１０の内部やコンベヤチェーン３０の裏面を洗浄することができる（図５参照）。また、フレーム材１０内部の連結クランプ２０が汚れた場合でも、この状態で簡単に洗浄することが可能になり、常に清潔な状態を維持することができる。
【産業上の利用可能性】
【００３６】
本発明の実施例において、特に食品用に好適なコンベヤ用走行フレーム装置として説明しているが、本発明の用途はこのような用途に限定されるものではなく、頻繁なメンテナンスが必要なコンベヤ用走行フレーム装置や、清潔な使用が求められる各種のコンベヤ用走行フレーム装置などに利用することができる。また、本発明のコンベヤ用走行フレーム装置の各構成や材質等は図示例等に限られるものではなく、本発明の要旨を変更しない範囲での設計変更は任意である。
【符号の説明】
【００３７】
１０  フレーム材
１１  連結突起
１２  支持片
１３  折り返し片
１４  係止突片
１５  水抜き孔
２０  連結クランプ
２１  連結板
２１Ａ  把持部
２２  連結ボルト
２３  固定管
２４  固定ナット
２５  固定バネ板
３０  コンベヤチェーン
３１  トッププレート
３２  タブ
４０  走行レール
【図１】
0005331183.tif 000002
【図２】
0005331183.tif 000003
【図３】
0005331183.tif 000004
【図４】
0005331183.tif 000005
【図５】
0005331183.tif 000006